(57)【要約】【課題】本発明は、エアフィルタが有効に作用する空調装置を提供する。【解決手段】空調装置１０は、ハウジング３０と、エアフィルタ４０と、空調部６０と、を備える。エアフィルタ４０は、ハウジング３０に収容され、ハウジング３０内に導入された空気２０１中の花粉やダニなどを濾過する。エアフィルタ４０の濾材４２の表面に、捕集した花粉やダニを無害化する薬剤２００を塗布する。空調部６０は、ハウジング３０に収容され、ハウジング３０内に導入された空気２０１の温度を調整する。ハウジング３０に、空調部６０によって温度が調整された温風８０を吹き出す足元吹出口３５を設ける。エアフィルタ４０を、ハウジング３０において足元吹出口３５から吹き出された温風８０の少なくとも一部８０ａが当たる位置Ｐに設置する。【選択図】      図２
2006315608.tif 000002
【特許請求の範囲】
【請求項１】
ハウジングと、
前記ハウジングに収容され、前記ハウジング内に導入された気体中の異物を濾過するとともに捕集した前記異物を無害化するエアフィルタと、
前記ハウジングに収容され、前記ハウジング内に導入された気体の温度を調整する空調部と、
を具備し、
前記ハウジングには、前記空調部によって温度が調整された温風を吹き出す吹出口が設けられ、
前記エアフィルタは、前記ハウジングにおいて前記吹出口から吹き出された温風の少なくとも一部が当たる位置に設置されることを特徴とする空調装置。
【請求項２】
前記吹出口は、乗員の足元に設けられ、
前記エアフィルタは、前記ハウジングにおいて、乗員の足元に設けられた前記吹出口から吹き出す温風の少なくとも一部が当たる位置に設置されることを特徴とする請求項１に記載の空調装置。
【請求項３】
前記ハウジングに設けられる一部内気導入口であって、前記エアフィルタの上流に設けられ、前記空調部によって温められた温風の少なくとも一部を前記エアフィルタに導く一部内気導入口を具備する請求項１に記載の空調装置。
【請求項４】
前記ハウジングにおいて前記エアフィルタの上流側には、前記エアフィルタに流入する気体の流れを屈曲する屈曲部が設けられることを特徴とする請求項１に記載の空調装置。
【請求項５】
前記屈曲部は、
鉛直方向に延びる第１の部分と、
前記第１の部分の下流側に設けられ、水平方向に延びる第２の部分と、
を具備することを特徴とする請求項４に記載の空調装置。
【請求項６】
前記エアフィルタは、濾材を具備し、
前記濾材は、該濾材に付着した水分が流れることを防止する抵抗部を具備することを特徴とする請求項１に記載の空調装置。
【請求項７】
前記抵抗部は、前記濾材がひだ折りされることによって形成される折り目であって、前記折り目は、鉛直方向に対して直角な方向に連続することを特徴とする請求項６に記載の空調装置。
【発明の詳細な説明】
【技術分野】
【０００１】
本発明は、エアフィルタを備え、例えば車両に搭載される空調装置に関する。
【背景技術】
【０００２】
例えば車両に搭載される空調装置は、空調すべき空気に含まれる花粉やダニなどを濾過するために、エアフィルタを備えている。エアフィルタは、濾材を備えており、空調すべき空気を濾過している。空調すべき空気に含まれる花粉やダニなどは、濾材によって捕集される。
【０００３】
濾材によって捕集された花粉やダニなどは、濾材に堆積する。それゆえ、濾材に堆積した花粉やダニなどは、車両の振動によって濾材から離れてしまい、空気中に舞うことが考えられる。
【０００４】
捕集した花粉やダニなどが空気中に舞うことは、好ましくない。それゆえ、濾材に様々な薬剤を添着し、この薬剤によって、捕集した花粉やダニなどを無害化することが提案されている。
【０００５】
しかし、濾材によって捕集された花粉やダニなどを無害化するために濾材に添着された薬剤は、常温で有効に作用するように設定されているものが多く、冬場などの低温時では、有効に作用することが難しくなることが考えられる。
【０００６】
一方、活性炭を備え、この活性炭によって空気中の臭い成分を捕集する空調装置が提案されている。
【０００７】
この種の空調装置では、ヒータコアは、活性炭の上流に設置されている。そして、活性炭の下流側にエバポレータが設置されている（例えば、特許文献１参照。）。
【特許文献１】特開平９―９９７３５号公報
【発明の開示】
【発明が解決しようとする課題】
【０００８】
ヒータコアを通過した空気は、摂氏温度略７０度〜８０度にまで高められる。それゆえ、特許文献１に開示されているように、薬剤が添着された濾剤の上流にヒータコアを設置し、かつエアフィルタの下流にエバポレータを設置した空調装置では、エアフィルタに流入する空気の温度は、濾材に添着された薬剤が有効に作用する温度範囲を越えてしまうことが考えられる。つまり、特許文献１に開示された空調装置に、薬剤が添着された濾材を備えるエアフィルタを用いると、エアフィルタは、有効に作用しなくなることが考えられる。
【０００９】
したがって、本発明の目的は、エアフィルタが有効に作用する空調装置を提供することにある。
【課題を解決するための手段】
【００１０】
本発明の空調装置は、ハウジングと、エアフィルタと、空調部と、を備える。前記エアフィルタは、前記ハウジングに収容され、前記ハウジング内に導入された気体中の異物を濾過するとともに、捕集した前記異物を無害化する。前記空調部は、前記ハウジングに収容され、前記ハウジング内に導入された気体の温度を調整する。前記ハウジングに、前記空調部によって温度が調整された温風を吹き出す吹出口を設ける。前記エアフィルタを、前記ハウジングにおいて前記吹出口から吹き出された温風の少なくとも一部が当たる位置に設置する。
【００１１】
このような構成によれば、エアフィルタは、空調手段によって調整された温風によって、ハウジングを通して温められる。それゆえ、例えば冬場など気温が低い状態であっても、エアフィルタの温度は、低くなることが抑制されるとともに、過度に温められることが抑制される。したがって、エアフィルタの温度は、該エアフィルタが活性な状態となる範囲内に維持されるようになる。
【００１２】
本発明の好ましい形態では、前記吹出口を乗員の足元に設ける。前記エアフィルタを、前記ハウジングにおいて、乗員の足元に設けられた前記吹出口から吹き出す温風の少なくとも一部が当たる位置に設置する。
【００１３】
本発明の好ましい形態では、前記一部内気導入口を、前記ハウジングにおいて前記エアフィルタの上流に設ける。前記一部内気導入口は、前記空調部によって温められた温風の少なくとも一部を前記エアフィルタに導く。
【００１４】
本発明の好ましい形態では、前記ハウジングにおいて前記エアフィルタの上流側に、前記エアフィルタに流入する気体の流れを屈曲する屈曲部を設ける。
【００１５】
本発明の好ましい形態では、前記屈曲部は、鉛直方向に延びる第１の部分と、前記第１の部分の下流側に設けられ、水平方向に延びる第２の部分と、を備える。
【００１６】
本発明の好ましい形態では、前記エアフィルタは、濾材を備える。前記濾材は、該濾材に付着した水分が流れることを防止する抵抗部を備える。
【００１７】
本発明の好ましい形態では、前記抵抗部は、前記濾材がひだ折りされることによって形成される折り目である。前記折り目は、鉛直方向に対して直角な方向に連続する。
【００１８】
なお、本発明で言うひだ折りとは、１方向に折り返し、ついで折り返された部分を逆方向に折り返す折方である。それゆえ、１方向に開く折り目と逆方向に開く折り目とが交互に連続する。
【発明の効果】
【００１９】
本発明の空調装置によれば、例えば冬場など気温が低い状態であっても、エアフィルタは、有効に作用する。
【発明を実施するための最良の形態】
【００２０】
本発明の第１の実施形態に係る空調装置を、図１から図４を参照して説明する。図１は、空調装置１０を備える自動車２０を、概略的に示している。自動車２０は、空調装置１０を備える車両の一例である。
【００２１】
図１は、自動車２０の前部２１を示している。図１に示すように、自動車２０の前部２１には、フロントガラス２２が設置されている。車内２３では、フロントガラス２２の下方にインストルメントパネル２４が設置されている。
【００２２】
空調装置１０は、例えばインストルメントパネル２４内に収容されている。図２は、空調装置１０を詳細に示している。図２に示すように、空調装置１０は、ハウジング３０と、エアフィルタ４０と、ブロア５０と、空調部６０と、などを備えている。
【００２３】
エアフィルタ４０と、ブロア５０と、空調部６０とは、ハウジング３０内に収容されている。空調装置１０では、ハウジング３０内に導入された空気２０１は、エアフィルタ４０によって異物が濾過され、空調部６０によって温度が調整され、ブロア５０によって車内２３に吹き出される。なお、図２中には、空調装置１０の下方に、乗員１００の足１０１の一部が示されている。
【００２４】
ハウジング３０は、外気導入口３１と、内気導入口３２と、上半身側吹出口３３と、窓ガラス側吹出口３４と、足元吹出口３５と、一部内気導入口３６と、を有している。
【００２５】
図１に示すように、外気導入口３１は、例えば、フロントガラス２２よりも前方において車体に設けられる第１の開口２５と連通している。第１の開口２５は、車外に開口している。外気導入口３１と第１の開口２５とを通して車体外部の空気がハウジング３０内へ導入される。なお、第１の開口２５と外気導入口３１とは、図中２点鎖線で示される第１の通路１１によって連通している。
【００２６】
内気導入口３２は、外気導入口３１の下流側に設けられている。内気導入口３２は、例えば車内２３に開口する第２の開口（図示せず）と連通している。第２の開口と内気導入口３２とを通して、車内２３の空気がハウジング３０内へ導入される。なお、第２の開口と内気導入口３２とは、図中２点鎖線で示す第２の通路１２によって互いに連通している。
【００２７】
上半身側吹出口３３は、内気導入口３２よりも下流側に設けられている。上半身側吹出口３３は、例えばインストルメントパネル２４に設けられる第３の開口２４ａと連通している。第３の開口２４ａは、乗員１００の上半身１０２と向かい合う位置に設けられている。
【００２８】
後述する空調部６０によって温度が調整された空気は、上半身側吹出口３３と第３の開口２４ａを通って、車内２３へ向かって吹き出す。なお、第３の開口２４ａと上半身側吹出口３３とは、図中２点鎖線で示す第３の通路１３によって互いに連通している。
【００２９】
窓ガラス側吹出口３４は、上半身側吹出口３３よりも下流側に設けられている。窓ガラス側吹出口３４は、例えばインストルメントパネル２４に設けられる第４の開口２４ｂと連通している。第４の開口２４ｂは、例えばフロントガラス２２と向かい合う位置に設けられている。
【００３０】
空調部６０によって調整された空気は、窓ガラス側吹出口３４と第４の開口２４ｂとを通って、フロントガラス２２に向かって吹き出す。なお、第４の開口２４ｂと窓ガラス側吹出口３４とは、図中２点鎖線で示される第４の通路１４によって、互いに連通している。
【００３１】
足元吹出口３５は、乗員１００の足元１０３に設けられている。足元吹出口３５は、例えば窓ガラス側吹出口３４よりも下流側に設けられている。
【００３２】
外気導入口３１と内気導入口３２とは、互いに略隣接している。外気導入口３１は、鉛直方向Ａに開口している。内気導入口３２は、鉛直方向Ａに対して直角な方向に開口している。外気導入口３１と内気導入口３２とは、互いに略直行する方向に開口している。
【００３３】
ハウジング３０において外気導入口３１と内気導入口３２との間には、外気導入口３１と内気導入口３２とを開閉するインテークドア３７が設置されている。
【００３４】
インテークドア３７によって外気導入口３１が塞がれると、内気導入口３２は、開口する。逆に、インテークドア３７によって内気導入口３２が塞がれると、外気導入口３１は、開口する。このように、インテークドア３７が外気導入口３１と内気導入口３２とのうちいずれか一方を塞ぐと、外気導入口３１と内気導入口３２とのうち他方は、開いた状態になる。
【００３５】
上半身側吹出口３３の縁には、上半身側吹出口開閉ドア３８が設置されている。上半身側吹出口開閉ドア３８は、上半身側吹出口３３を開閉する。窓ガラス側吹出口３４の縁には、窓ガラス側吹出口開閉ドア３９が設置されている。窓ガラス側吹出口開閉ドア３９は、窓ガラス側吹出口３４を開閉する。
【００３６】
エアフィルタ４０は、内気導入口３２の下流側であって、上半身側吹出口３３の上流側に設置されている。エアフィルタ４０は、ケース４１と、濾材４２と、などを備えている。濾材４２は、ケース４１内に収容されている。
【００３７】
図３は、エアフィルタ４０を示している。図３に示すように、濾材４２は、濾材本体４３と、枠体４４と、を備えている。なお、図３では、ケース４１は、２点鎖線で示されている。濾材４２は、一部切り欠かれて示されている。
【００３８】
図３中、鉛直方向Ａに対して直角である水平方向を矢印Ｂで示す。濾材本体４３は、ひだ折りされることによって、１方向に開く折り目４５ａと逆方向に開く折り目４５ｂとが複数形成されている。なお、本発明で言うひだ折りとは、１方向に折り返し、ついで折り返された部分を逆方向に折り返す折方である。それゆえ、１方向に開く折り目４５ａと逆方向に開く折り目４５ｂとは、交互に配置される。
【００３９】
図４は、図３中に示されるＦ４の範囲を拡大して示している。図４に示すように、濾材本体４３の表面には、花粉やダニなどを無害化する薬剤２００が塗布されている。薬剤２００は、例えば常温付近で活性化する。エアフィルタ４０は、濾材本体４３に薬剤２００が塗布されることによって、捕集された花粉やダニなどの異物を無害化する機能を有する。
【００４０】
薬剤２００は、濾材本体４３の表面に塗布されることだけに限定されない。図３に示すように、枠体４４は、濾材本体４３の周縁に設けられている。図中では、枠体４４は、一部が切り欠かれて示されている。
【００４１】
エアフィルタ４０は、濾材本体４３に形成された各折り目４５ａ，４５ｂが水平方向Ｂに平行になるように、ハウジング３０内に設置される。なお、図２中では、各折り目４５ａ，４５ｂが延びる水平方向Ｂは、紙面奥から手前に向かう方向と、紙面手前から奥へ向かう方向である。そして、エアフィルタ４０は、濾材本体４３に形成された各折り目４５ａ，４５ｂが、例えば鉛直方向Ａに並ぶ姿勢でハウジング３０内に設置される。
【００４２】
ハウジング３０と濾材４２の大きさは、外気導入口３１または内気導入口３２から導入された空気２０１のすべてが濾材４２を通過するように設定されている。それゆえ、ハウジング３０内に導入された空気２０１は、濾材４２によって、濾過される。
【００４３】
ハウジング３０において外気導入口３１からエアフィルタ４０までの範囲の形状について、具体的に説明する。図２に示すように、ハウジング３０において外気導入口３１からエアフィルタ４０までの範囲は、屈曲部７０となっている。
【００４４】
屈曲部７０は、第１の部分７１と、第２の部分７２と、を有している。第１の部分７１は、外気導入口３１から内気導入口３２を越えた位置までの範囲である。第２の部分７２は、第１の部分７１の下流端からエアフィルタ４０までの範囲である。
【００４５】
第１の部分７１は、鉛直方向Ａに延びている。第２の部分７２は、水平方向Ｂ１に延びている。第２の部分７２は、鉛直方向Ａに第１の部分７１よりも下方にある。
【００４６】
ブロア５０は、エアフィルタ４０の下流側であって上半身側吹出口３３の上流側に設置されている。ブロア５０は、エアフィルタ４０を通過した空気を上半身側吹出口３３、窓ガラス側吹出口３４、足元吹出口３５から吹き出す機能を有している。
【００４７】
ハウジング３０において、ブロア５０が設置される位置の形状を具体的に説明する。ハウジング３０においてエアフィルタ４０の下流側は、例えばエアフィルタ４０から離れる方向斜め上側に延びている。そして、ブロア５０は、エアフィルタ４０よりも上側に設置されている。
【００４８】
空調部６０は、ブロア５０の下流側であって上半身側吹出口３３の上流側に設置されている。空調部６０は、外気導入口３１または内気導入口３２から導入された空気２０１の温度を調整する機能を有している。空調部６０は、エバポレータ６１と、ヒータコア６２と、エアミックスドア６３と、などを備えている。
【００４９】
エバポレータ６１は、ブロア５０の下流側に設置されている。エバポレータ６１は、ブロア５０よりも下方に位置している。
【００５０】
ヒータコア６２は、エバポレータ６１の下流側に設置されている。ヒータコア６２は、ヒータコア６２が設置される位置におけるハウジング３０の流路断面のうち、下側部分を占めている。それゆえ、ハウジング３０においてヒータコア６２の上側には、上側通路６４が規定されている。
【００５１】
エアミックスドア６３は、ヒータコア６２の上流側に設置されている。エアミックスドア６３は、ヒータコア６２と、上側通路６４と、を開閉する。
【００５２】
エアミックスドア６３によってヒータコア６２への流路が閉じられると、上側通路６４は、開口する。逆に、エアミックスドア６３によって上側通路６４が塞がれると、ヒータコア６２への通路は、開口する。
【００５３】
このように、エアミックスドア６３がヒータコア６２への通路と上側通路６４とのうちいずれか一方を塞ぐと、ヒータコア６２への通路と上側通路６４とのうち他方は、開いた状態になる。
【００５４】
また、エアミックスドア６３の開き具合を調整することによって、導入された空気の一部がヒータコア６２を通り、導入空気のうち残りが上側通路６４を通るようになる。このようにすることによって、空調部６０は、導入された空気の温度を調整する。
【００５５】
ここで、エアフィルタ４０の設置される箇所について、具体的に説明する。外気導入口３１、内気導入口３２から導入された空気２０１は、空調部６０によって、温度が調整される。
【００５６】
空調部６０によって温度が調整された空気の一部は、足元吹出口３５から足元１０３に向かって吹き出される。
【００５７】
例えば冬場など、空調部６０によって温められた温風８０が、足元吹出口３５から吹き出される場合、この温風８０の一部８０ａは、図に示すように、ハウジング３０に当たる。ハウジング３０において、温風８０が当たる位置Ｐは、温風８０によって暖められる。エアフィルタ４０は、ハウジング３０において温風８０の少なくとも一部８０ａが当たる位置Ｐに設置されている。
【００５８】
本実施形態では、足元吹出口３５は、例えばハウジング３０の上流部の近傍にまで延びている。それゆえ、足元吹出口３５から吹き出された温風８０の一部８０ａは、ハウジング３０の上流部に当たりやすくなっている。
【００５９】
なお、ハウジング３０の形状は、温風８０が当たりやすくなるよう考慮されて形成されてもよい。
【００６０】
一部内気導入口３６は、ハウジング３０において、エアフィルタ４０の上流側直前に設けられている。一部内気導入口３６は、車内２３とハウジング３０内とを連通している。一部内気導入口３６の縁部には、一部内気導入口開閉ドア８１が設置されている。
【００６１】
一部内気導入口開閉ドア８１は、例えば、足元吹出口３５から温風８０が吹き出されると開くように設定されている。それゆえ、足元吹出口３５から温風８０が吹き出されると、吹き出された温風８０の一部８０ａは、一部内気導入口３６を通って、ハウジング３０内に導入される。
【００６２】
つぎに、空調装置１０の動作について、冬場など気温が低い状態での動作を一例に、説明する。
【００６３】
冬場など、気温が低い場合、乗員１００は、空調装置１０を操作して、温風８０を車内２３へ取り入れる。まず、ブロア５０が動作し、外気導入口３１または内気導入口３２を通してハウジング３０内に空気２０１が導入される。
【００６４】
ハウジング３０内に導入された空気２０１は、屈曲部７０を通る。導入された空気２０１の流れ方向は、第１の部分７１から第２の部分７２に進む過程で、略９０°変化する。それゆえ、空気中に含まれる水分など比較的大きい異物は、空気の流れの変化に伴う遠心力によって、空気２０１中から分離される。
【００６５】
屈曲部７０を通過した空気２０１は、エアフィルタ４０に導かれる。エアフィルタ４０に導かれた空気に含まれる花粉やダニなどは、濾材４２によって、捕集される。これら花粉やダニなどは、濾材４２に塗布された薬剤２００によって無害化される。
【００６６】
エアフィルタ４０を通過した空気２０１は、空調部６０によって温められる。通常、乗員１００は、気温が低く、車内２３に温風８０を取り入れる場合、温風８０を足元吹出口３５から足元１０３に向かって吹き出させる。
【００６７】
足元吹出口３５から吹き出された温風８０の一部８０ａは、ハウジング３０においてエアフィルタ４０が設置される位置Ｐに当たる。それゆえ、濾材４２は、ハウジング３０を通して、温風８０によって温められる。濾材４２が温風８０によって温められることによって、濾材４２に塗布された薬剤２００も温められる。
【００６８】
また、足元吹出口３５から温風８０が吹き出されることによって、一部内気導入口開閉ドア８１が開く。それゆえ、ハウジング３０においてエアフィルタ４０の上流側は、一部内気導入口３６を通して、車内２３と連通する。
【００６９】
足元吹出口３５から吹き出された温風８０の一部８０ａは、一部内気導入口３６を通して、ハウジング３０内に導入される。一部内気導入口３６を通ってハウジング３０内に導入された温風８０は、エアフィルタ４０に導かれる。濾材４２は、一部内気導入口３６を通って導入された温風８０によって、温められる。
【００７０】
また、濾材４２に水分が付着すると、重力や毛細管現象によって添着された薬剤２００が鉛直方向Ａに移動しようとするが、上記のように各折り目４５ａ，４５ｂが水平方向Ｂに延びることによって、薬剤２００は、移動しにくくなる。つまり、各折り目４５ａ，４５ｂは、本発明で言う抵抗部として機能する。それゆえ、濾材４２に添着された薬剤２００が水分によって移動することが抑制される。つまり、薬剤２００が濾材本体４３から流れ出したり、濾材本体４３上で薬剤２００の分布にむらができることが抑制される。
【００７１】
このように構成された空調装置１０では、エアフィルタ４０は、ハウジング３０において、空調部６０によって温められた温風８０の一部８０ａが当たる位置Ｐに配置されている。また、空調部６０によって温められた温風８０の温度は、過度に高くなっていない。
【００７２】
それゆえ、エアフィルタ４０が温風８０によって温められることによって、濾材４２に塗布された薬剤２００の温度は、例えば冬のなどの気温が低い状態であっても、下がることが抑制される。つまり、薬剤２００の温度は、薬剤２００が活性化する温度範囲内に維持される。したがって、冬場などの温度の低い状態であっても、エアフィルタ４０は、有効に作用する。
【００７３】
また、エアフィルタ４０は、ハウジング３０において足元吹出口３５から吹き出された温風８０の一部８０ａが当たる位置Ｐに設置されている。冬場など気温が低い状態であると、通常、乗員は、温風８０を足元に吹き出させる。それゆえ、エアフィルタ４０が、ハウジング３０において足元吹出口３５から吹き出された温風８０の一部８０ａが当たる位置Ｐに配置されることによって、冬場など気温が低い状態であっても、濾材４２の温度が下がることが効果的に抑制される。
【００７４】
また、濾材４２は、一部内気導入口３６を通って導入された温風８０によっても温められる。それゆえ、濾材４２は、効果的に温められる。
【００７５】
ハウジング３０においてエアフィルタ４０の上流側には、屈曲部７０が形成されている。外気導入口３１または内気導入口３２を通って導入された空気２０１中の水分などは、該空気２０１が屈曲部７０を通過する過程で、遠心力によって、分離される。
【００７６】
それゆえ、濾材４２に水分が付着することが抑制される。濾材４２に水分が付着することが抑制されることによって、濾材４２に添付された薬剤２００が流れ出したり、溶け出すことが抑制される。
【００７７】
また、屈曲部７０は、鉛直方向Ａに沿う第１の部分７１と、水平方向Ｂ１に沿う第２の部分７２とを有する。それゆえ、屈曲部７０を通過する空気２０１の流れは、略９０度変化する。したがって、導入された空気中に含まれる水分などは、効果的に分離される。
【００７８】
また、空気２０１は、屈曲部７０において、鉛直方向Ａの上方から下方にかけて流れる。それゆえ、空気２０１中の水分などの異物は、重力の作用によって、効果的に分離される。
【００７９】
また、各折り目４５ａ，４５ｂが抵抗部として機能することによって、濾材４２に水分が付着した場合であっても、該水分によって薬剤２００が流れ出したり、薬剤２００の分布にむらができることが抑制される。それゆえ、エアフィルタ４０は、有効に作用する。
【００８０】
また、各折り目４５ａ，４５ｂが水平方向Ｂに延びることによって、水分は、鉛直方向に移動しにくくなる。
【００８１】
また、濾材本体４３をひだ折りすることによって、抵抗部としての折り目４５ａ，４５ｂを形成するので、抵抗部を設けるために別途に材料を必要としない。それゆえ、濾材本体４３のコストは、抑えられる
つぎに、本発明の第２の実施形態に係る空調装置１０を、図５を参照して説明する。なお、第１の実施形態と同様な機能を有する構成は、同一の符号を付して説明を省略する。
【００８２】
本実施形態では、濾材本体４３が第１の実施形態と異なる。他の構造については、第１の実施形態と同様でよい。
【００８３】
この点について具体的に説明する。図５は、濾材本体４３の一部を切り欠くとともに拡大して示している。図５に示すように、本実施形態では、薬剤２００は、濾材本体４３中に含浸されている。
【００８４】
本実施形態では、第１の実施形態と同様な効果を得ることができる。
【００８５】
なお、薬剤２００は、第１，２の実施形態に示されたように、濾材本体４３の表面に塗布されたり、または含浸されたりすることに限定されない。例えば、他の方法によって濾材本体４３に設けられてもよい。要するに、薬剤２００は、濾材本体４３が捕集した花粉やダニなどの異物を無害化するように、設けられていればよい。
【００８６】
また、第１，２の実施形態では、エアフィルタ４０は、濾材本体４３に薬剤２００が添着されることによって、花粉やダニなどの異物を無害化する機能を有するようになったが、これに限定されるものではない。例えば、薬剤２００ではなく、触媒などが用いられてもよい。
【００８７】
また、第１，２の実施形態では、エアフィルタ４０は、ハウジング３０において足元吹出口３５から吹き出される温風８０の一部８０ａが当たる位置Ｐに設置されているが、これに限定されるものではない。
【００８８】
例えばエアフィルタは、ハウジング３０において上半身側吹出口３３や窓ガラス側吹出口３４から吹き出された温風が当たる位置に設置されてもよい。
【図面の簡単な説明】
【００８９】
【図１】本発明の第１の実施形態に係る空調装置を備える自動車の概略図。
【図２】図１に示された空調装置を拡大して示す概略図。
【図３】図２に示されたエアフィルタを示す斜視図。
【図４】図３に示されたＦ４の範囲を拡大して示す斜視図。
【図５】本発明の第２の実施形態に係る空調装置の濾材本体を一部切り欠いて拡大して示す斜視図。
【符号の説明】
【００９０】
１０…空調装置、３０…ハウジング、３３…上半身側吹出口（吹出口）、３４…窓ガラス側吹出口（吹出口）、３５…足元吹出口（吹出口）、３６…一部内気導入口、４０…エアフィルタ、４２…濾材、４５ａ…折り目（抵抗部）、４５ｂ…折り目（抵抗部）、６０…空調部、７０…屈曲部、７１・・・第１の部分、７２…第２の部分、８０…温風、８０ａ…温風の一部、１０３…足元、２０１…空気（気体）、Ａ…鉛直方向、Ｂ…水平方向、Ｐ…温風の少なくとも一部が当たる位置。
【図１】
2006315608.tif 000003
【図２】
2006315608.tif 000004
【図３】
2006315608.tif 000005
【図４】
2006315608.tif 000006
【図５】
2006315608.tif 000007